(57)【要約】【課題】  本発明の目的の１つは、適応変調制御に用いられるパラメータを、所定の条件を満たすタイミングで送信することにより、パラメータの送信頻度を下げている場合において、ハンドオーバ後の適応変調制御を円滑に行うことである。【解決手段】  本発明では、適応変調制御に用いられるパラメータを所定の条件を満たすタイミングで送信する移動局において、ハンドオーバによるチャネル切り替え後において、該所定の条件を満たさないタイミングで該パラメータを送信する送信部、を備えたことを特徴とする移動局を用いる。【選択図】        図８
2006246089.tif 000002
【特許請求の範囲】
【請求項１】
適応変調制御に用いられるパラメータを所定の条件を満たすタイミングで送信する移動局において、
ハンドオーバによるチャネル切り替え後において、該所定の条件を満たさないタイミングで該パラメータを送信する送信部、
を備えたことを特徴とする移動局。
【請求項２】
前記送信部は、前記所定の条件を満たさないタイミング後において、前記パラメータの送信タイミングを前記所定の条件を満たすタイミングに戻すことを特徴とする請求項１記載の移動局。
【請求項３】
前記送信部は、前記所定の条件を満たさないタイミングでパラメータを１回送信した場合に、前記パラメータの送信タイミングを前記所定の条件を満たすタイミングに戻すことを特徴とする請求項１記載の移動局。
【請求項４】
適応変調制御に用いられるパラメータを所定の条件を満たすタイミングで受信する無線基地局において、
ハンドオーバによるチャネル切り替えを行った移動局から、該所定の条件を満たさないタイミングで送信された該パラメータを受信する受信部と、
該受信部で受信した該パラメータを用いて該移動局について適応変調制御を実行する適応変調制御部と、
を備えたことを特徴とする無線基地局。
【請求項５】
適応変調制御に用いられるパラメータを所定の条件を満たすタイミングで送信する移動局に搭載され、該タイミングを制御するタイミング制御ユニットにおいて、
ハンドオーバの切り替えタイミングを取得する取得手段と、
該取得手段で取得したタイミング後において、該所定の条件を満たさないタイミングを該パラメータを送信するタイミングとして指定する指定手段と、
を備えたことを特徴とするタイミング制御ユニット。
【発明の詳細な説明】
【技術分野】
【０００１】
本発明は、無線基地局、移動局に関し、好ましくは、Ｗ−ＣＤＭＡ（ＵＭＴＳ）通信方式を採用した移動無線通信システムで用いられる無線基地局、移動局に関する。
【背景技術】
【０００２】
無線を利用したデータ伝送方式１つとしてＨＳＤＰＡ（High Speed Downlink Packet Access）の実用化が現在進められている（非特許文献１参照）。ＨＳＤＰＡは、下り方向（Downlink）の高速パケット伝送を可能とする方式であり、最大約１４Ｍｂｐｓの伝送速度が可能とされている。
【０００３】
ＨＳＤＰＡは、適応符号化変調方式（ＡＭＣ：Adaptive Modulation and Coding）を採用しており、送信形式を無線基地局、移動局間の無線環境に応じて適応的に切り替えることを特徴としている。例えば、ＱＰＳＫ変調方式と１６値ＱＡＭ方式との間で送信形式を切り替える。
【０００４】
また、ＨＳＤＰＡは、Ｈ−ＡＲＱ（Hybrid Automatic Repeat reQuest）方式を採用している。Ｈ−ＡＲＱでは、移動局は、無線基地局からの受信データについて誤りを検出した場合に、この無線基地局に対して再送要求を行う。この再送要求を受信した無線基地局は、データの再送を行うので、移動局は、既に受信済みのデータと、再送された受信データとの双方を用いて誤り訂正復号化を行う。このようにＨ−ＡＲＱでは、誤りがあっても、既に受信したデータを有効に利用することで、再送回数を抑えている。
【０００５】
ＨＳＤＰＡに用いられる主な無線チャネルは、ＨＳ−ＳＣＣＨ（High Speed-Shared Control Channel）、ＨＳ−ＰＤＳＣＨ（High Speed-Physical Downlink Shared Channel）、ＨＳ−ＤＰＣＣＨ（High Speed-Dedicated Physical Control Channel）がある。
【０００６】
ＨＳ−ＳＣＣＨ、ＨＳ−ＰＤＳＣＨは、双方とも下り方向（Downlink）（即ち、無線基地局から移動局への方向）の共有チャネルであり、ＨＳ−ＳＣＣＨは、ＨＳ−ＰＤＳＣＨにて送信するデータに関する各種パラメータを送信する制御チャネルである。各種パラメータとしては、次のものが挙げられる。
【０００７】
・どの変調方式を用いるかを示す変調タイプ（Modulation Scheme）情報
・割当てる拡散符号（Spreading Code）の情報
・送信前に施されるレートマッチング処理のパターン情報
一方、ＨＳ−ＤＰＣＣＨは、上り方向（Uplink）（即ち、移動局から無線基地局への方向）の個別の制御チャネルである。例えば、ＨＳ−ＰＤＳＣＨを介して無線基地局から受信したデータの受信可、否の結果をそれぞれＡＣＫ信号、ＮＡＣＫ信号（応答信号）として無線基地局に対して送信する際に移動局によって用いられる。
【０００８】
尚、移動局がデータの受信に失敗した場合（受信データがＣＲＣエラーである場合等）は、再送要求としてのＮＡＣＫ信号が移動局から送信されるので、無線基地局は再送制御を実行することとなる。
【０００９】
また、無線基地局は、ＡＣＫ信号もＮＡＣＫ信号も受信できない場合（ＤＴＸの場合）は、やはり再送制御を行うため、移動局がＡＣＫ信号もＮＡＣＫ信号も送信しないＤＴＸ状態となることも再送要求の１つとして挙げられる。
【００１０】
その他、ＨＳ−ＤＰＣＣＨは、移動局が測定した無線基地局からの受信信号の受信品質情報（例えばＳＩＲ）をＣＱＩ情報（Channel Quality Indicator）として無線基地局に送信するためにも用いられる。そして、無線基地局は、受信したＣＱＩ情報により下り方向の送信形式を変更する。
【００１１】
即ち、無線基地局は、ＣＱＩ情報が下り方向の無線環境が良好であることを示す場合は、より高速にデータを送信可能な変調方式に送信形式を切り替える。
【００１２】
逆にＣＱＩ情報が下り方向の無線環境が良好でないことを示す場合は、無線基地局は、より低速にデータを送信する変調方式に送信形式を切り替える（即ち、適応変調制御を行う）。
・「チャネル構成」
次に、ＨＳＤＰＡにおけるチャネル構成について説明する。
【００１３】
図１は、ＨＳＤＰＡにおけるチャネル構成を示すための図である。尚、Ｗ−ＣＤＭＡは、符号分割多重方式を採用するため、各チャネルは拡散コードにより分離されている。
【００１４】
まず、説明していないチャネルについて簡単に説明しておく。
Ｐ−ＣＰＩＣＨ（Primary Common Pilot Channel）は、下り方向の共通チャネルであり、無線ゾーン（セル）内の全ての移動局に対して送信される。
【００１５】
Ｐ−ＣＰＩＣＨ（以下、ＣＰＩＣＨと略す）は、移動局においてチャネル推定、セルサーチ、同一セル内における他の下り物理チャネルのタイミング基準として利用されるチャネルであり、いわゆるパイロット信号を送信するためのチャネルである。
【００１６】
ＤＬ−ＤＰＣＨは、ＵＬ−ＤＰＣＨは、それぞれＨＳＤＰＡのチャネルとは別個に確立している下り個別チャネル、上り個別チャネルである。
【００１７】
次に、図１を用いて、チャネル構成についてタイミング関係を中心に説明する。
【００１８】
図のように、各チャネルは、３×５＝１５個のスロット（＃０〜＃１４）により１フレーム（１０ｍｓ）を構成している。尚、各スロットは、２５６０チップ長に相当する。先に説明したように、ＣＰＩＣＨは他のチャネルの基準として用いられるため、ＣＣＰＣＨ（図示を省略）及びＨＳ−ＳＣＣＨのフレームの先頭はＣＰＩＣＨのフレームの先頭と一致している。
【００１９】
また、ＣＰＩＣＨの各フレームには、１フレーム単位に更新されるＳＦＮ（System Frame Number）が割り当てられている。
【００２０】
尚、ＨＳ−ＰＤＳＣＨのフレームの先頭は、ＨＳ−ＳＣＣＨ等に対して２スロット遅延しているが、移動局がＨＳ−ＳＣＣＨを介して変調タイプ情報を受信してから、受信した変調タイプに対応する復調方式でＨＳ−ＰＤＳＣＨの復調を行うことを可能にするためである。また、ＨＳ−ＳＣＣＨ、ＨＳ−ＰＤＳＣＨは、３スロットで１サブフレームを構成している。
【００２１】
ＨＳ−ＤＰＣＣＨは、上り方向のチャネルであり、ＨＳ−ＰＤＳＣＨの受信から約７．５スロット経過後に、受信確認のための応答信号であるＡＣＫ／ＮＡＣＫ信号を移動局から無線基地局に送信するために用いるスロット（サブフレーム内の第１スロット）を含む。
【００２２】
また、ＨＳ−ＤＰＣＣＨは、適応変調制御のためのＣＱＩ情報を定期的に無線基地局にフィードバック送信するために用いるスロット（サブフレーム内の第２、第３スロット）も含む。ここで、送信するＣＱＩ情報は、例えば、ＣＱＩ送信の４スロット前から１スロット前までの期間に測定した受信環境（例えば、ＣＰＩＣＨのＳＩＲ測定結果）に基づいて算出される。
【００２３】
ここで、ＣＱＩ情報の算出例としてＣＱＩテーブルを用いる場合について説明する。
【００２４】
図２は、ＣＱＩテーブルを示す図である。
【００２５】
例えば、このテーブルは、移動局の記憶部に記憶され、各ＣＱＩ（１〜３０）とＣＰＩＣＨの受信ＳＩＲとの対応関係を示すものである。
【００２６】
従って、移動局は、測定したＳＩＲに対応するＣＱＩをこのテーブルを参照して求め、ＣＱＩ情報として無線基地局に送信し、無線基地局は、ＣＱＩに対応するトランスポートブロックサイズ、コード多重数、変調タイプ等でデータ送信を行うのである。
【００２７】
さて、図１の説明に再び戻ると、ＤＬ−ＤＰＣＨの先頭は、Ｐ−ＣＰＩＣＨからＤチップずれている。このＤは移動局の発呼時、ハンドオーバ時等において定まるものであり、一度呼を確立した後は、ハンドオーバ等を行わない限りその移動局にとって固定である。
【００２８】
一方、ＵＬ−ＤＰＣＨは、ＤＬ−ＤＰＣＨに対して１０２４チップ分ずれて設定される。
【００２９】
ここで、ＵＬ−ＤＰＣＨ（ＤＬ−ＤＰＣＨ）の各フレームには、１フレーム単位に更新されるＣＦＮ（Connection Frame Number）が割り当てられている。ＣＦＮはＳＦＮと同じナンバーとすることもできるが、呼の確立の際（ハンドオーバの際）に、ＳＦＮに対してずれたナンバーを割り当てることができる。このようにすると、同じタイミングであっても、移動局毎にＣＦＮが異なることとなる。
【００３０】
尚、ＣＦＮは、０〜２５５の間で循環する。
【００３１】
また、基本的にＣＦＮは、１度呼を確立すると順次更新されていき、ハンドオーバを行っても継続して更新される。但し、無線基地局制御装置（ＲＮＣ）をまたいでハンドオーバする場合等には、再度異なるＣＦＮを割り当てるようにしてもよい。
・「ＣＱＩの送信タイミング」
次にＣＱＩの送信タイミングについて説明する。
【００３２】
まず、ＣＱＩの送信タイミングの特定に必要となるパラメータについて説明する。
「パラメータｋ」
ｋは、ＣＱＩの送信サイクルを示し、０〜１６０ｍｓの範囲内で２ｍｓ刻みの値をとり得る。
「パラメータｍ」
ｍは、ＵＬ−ＤＰＣＨの先頭と、ＨＳ−ＤＰＣＣＨの各サブフレームの先頭の間のチップ数を２５６ｃｈｉｐで割ったものであり、１フレーム内に５フレーム存在するので、ｍは、ｍ０〜ｍ４の５種類存在し、１０１以上２５１未満の値をとる。尚、１サブフレームあたり、２５６０×３＝７６８０（チップ）であるから、ｍ０、ｍ１、ｍ２、ｍ３、ｍ４はそれぞれ３０ずつ値が離れている。
【００３３】
以上のパラメータを用いることで、ＣＱＩの送信タイミングを次の式１から特定することができる。
【００３４】
（５×ＣＦＮ＋[ｍ×２５６(chip)／７６８０(chip)]）ｍｏｄｋ’＝０  …式１
ここで、ｋ’＝ｋ／２、[ｘ]＝ｘ以上の最小の整数である。
【００３５】
即ち、式１にパラメータｋから求まるｋ’を代入し、取り得る２５６種類のＣＦＮ、５種類のｍのうち、式１を満たすものを特定する。
【００３６】
図３は、ＣＱＩ送信周期ｋ＝１６０とした場合の、式１を満たすＣＱＩの送信タイミングを示したものである。
【００３７】
図３から、ＣＱＩを送信するタイミングは、ＣＦＮ＝１５、サブフレームナンバー１（１無線フレーム中、２番目のサブフレーム）であることがわかる。
【００３８】
そして送信周期ｋ＝１６０であったから、ＣＦＮを１６加算したＣＦＮ＝３１のサブフレームナンバー１でも同様にＣＱＩを送信することとなる。
【００３９】
即ち、Ｎを１６以下の自然数とすると、１６（Ｎ−１）＋１５で定まるＣＦＮのサブフレームナンバー１でＣＱＩが送信されることとなる。
【００４０】
上述した、ＨＳＤＰＡに関する事項は、例えば次の非特許文献１に開示されている。
【非特許文献１】３Ｇ  ＴＳ  ２５．２１２（3rd Generation Partnership Project: TechnicalSpecification Group Radio Access Network ; Multiplexing and channel coding (FDD)）V6.2.0 (2004年６月)
【発明の開示】
【発明が解決しようとする課題】
【００４１】
先に説明した背景技術によれば、適応変調制御に用いられるパラメータとしてのＣＱＩは、式１のように所定の条件を満たすタイミング（サブフレーム）で送信され、送信されないタイミング（サブフレーム）も存在する。
【００４２】
全サブフレームについてＣＱＩ情報を送信するのではなく、このように、所定の条件を満たすサブフレームに制限してＣＱＩ情報を送信することは、無線回線の容量を圧迫しないという側面から望ましい。
【００４３】
しかし、ハンドオーバ先の無線基地局が最初にＣＱＩを受信するのは、移動局が、ハンドオーバ制御によって、チャネル切り替えを行ってから最初に条件を満たすタイミング（サブフレーム）である。従って、場合によっては、ＣＱＩの送信周期ｋに相当する時間の間、ハンドオーバ先の無線基地局は、ＣＱＩを受信できないこともあり得る。
【００４４】
例えば、図３の例で、ＣＦＮがハンドオーバ後も継続されるという前提で、ＣＦＮ１５までは、ハンドオーバ元の無線基地局と通信し、ＣＦＮ１６からはハンドオーバ先の無線基地局と通信するようにチャネル切り替えを行う場合には、ハンドオーバ後、移動局は、ＣＦＮが３１となるまでＣＱＩ情報を送信できないこととなる。
【００４５】
すると、ハンドオーバ先の無線基地局では、適応変調制御に用いる重要なパラメータを長い間受信することができないため、適応変調制御に支障を来たすこととなる。
【００４６】
従って、本発明の目的の１つは、適応変調制御に用いられるパラメータを所定の条件を満たすタイミングで送信することにより、パラメータの送信頻度を下げている場合において、ハンドオーバ後の適応変調制御を円滑に行うことである。
【００４７】
また、本発明の目的の１つは、ハンドオーバ後の適応変調制御を高速に開始可能とすることである。
【００４８】
尚、上記目的に限らず、後述する発明を実施するための最良の形態に示す各構成により導かれる効果であって、従来の技術によっては得られない効果を奏することも本発明の目的の１つとして位置付けることができる。
【課題を解決するための手段】
【００４９】
（１）本発明の第１案では、適応変調制御に用いられるパラメータを所定の条件を満たすタイミングで送信する移動局において、ハンドオーバによるチャネル切り替え後において、該所定の条件を満たさないタイミングで該パラメータを送信する送信部、を備えたことを特徴とする移動局を用いる。
（２）好ましくは、第１案において、前記送信部は、前記所定の条件を満たさないタイミング後において、前記パラメータの送信タイミングを前記所定の条件を満たすタイミングに戻す。
（３）好ましくは、前記送信部は、前記所定の条件を満たさないタイミングでパラメータを１回送信した場合に、前記パラメータの送信タイミングを前記所定の条件を満たすタイミングに戻す。
（４）本発明の第２案では、適応変調制御に用いられるパラメータを所定の条件を満たすタイミングで受信する無線基地局において、ハンドオーバによるチャネル切り替えを行った移動局から、該所定の条件を満たさないタイミングで送信された該パラメータを受信する受信部と、該受信部で受信した該パラメータを用いて該移動局について適応変調制御を実行する適応変調制御部と、を備えたことを特徴とする無線基地局を用いる。
（５）本発明の第３の案では、適応変調制御に用いられるパラメータを所定の条件を満たすタイミングで送信する移動局に搭載され、該タイミングを制御するタイミング制御ユニットにおいて、ハンドオーバの切り替えタイミングを取得する取得手段と、該取得手段で取得したタイミング後において、該所定の条件を満たさないタイミングを該パラメータを送信するタイミングとして指定する指定手段と、を備えたことを特徴とするタイミング制御ユニットを用いる。
【発明の効果】
【００５０】
本発明によれば、適応変調制御に用いられるパラメータを所定の条件を満たすタイミングで送信することにより、パラメータの送信頻度を下げている場合であっても、ハンドオーバ後の適応変調制御を円滑に行うことができる。
【００５１】
また、本発明によれば、ハンドオーバ後の適応変調制御を高速に開始することができる。
【発明を実施するための最良の形態】
【００５２】
以下、図面を参照することにより、本発明の実施の形態について説明する。
〔ａ〕第１実施形態の説明
この実施形態では、ハンドオーバによるチャネル切り替え後における、適応変調制御に用いられるパラメータの送信（受信）タイミングを工夫する。
【００５３】
即ち、移動局は、適応変調制御に用いられるパラメータを所定の条件で定まるタイミングで送信するが、ハンドオーバによるチャネル切り替え後、この所定の条件で定まるタイミング以外のタイミング（所定の条件で定まるタイミングより早いタイミング）でこのパラメータを送信するのである。
【００５４】
これにより、ハンドオーバ後、所定の条件を満たすまでパラメータが送信できないといった事態を回避することができ、適応変調制御が円滑に行われることとなる。
【００５５】
以下、先に説明したＨＳＤＰＡを例に挙げて、この工夫について、図面を用いて具体的に説明する。
【００５６】
もちろん、ＨＳＤＰＡに限らずハンドオーバ処理を行う他の無線通信システムに適用することができる。その際、ＨＳＤＰＡと同様に、適応変調制御を行うシステムに適用することが最も好ましい。
・「移動通信システムの構成」
図４は、本発明に係る移動通信システムの構成の１例を示す。移動通信システムとしては、種々のものが考えられるが、ここでは、背景技術の説明と同様、Ｗ−ＣＤＭＡ（ＵＭＴＳ）をベースとした、ＨＳＤＰＡに対応した移動通信システムであるものとする。
【００５７】
図において、１はコアネットワーク、２、３は無線基地局制御装置（ＲＮＣ：Radio Network Controller）、４、５は多重分離装置、６1〜６5は無線基地局（ＢＳ：Base Station）、７は移動局（ＵＥ：User equipment）をそれぞれ示す。
【００５８】
コアネットワーク１は、移動通信システム内においてルーティングを行うためのネットワークであり、例えば、ＡＴＭ交換網、パケット交換網、ルーター網等によりコアネットワークを構成することができる。
【００５９】
尚、コアネットワーク１は、無線基地局６1〜６5の上位装置として位置付けられ、他の公衆網（ＰＳＴＮ）等とも接続され、移動局７が固定電話等との間で通信を行うことも可能としている。
【００６０】
無線基地局制御装置２、３は、コアネットワークの構成装置と同様に、無線基地局６1〜６5の上位装置として位置付けられ、これらの無線基地局６1〜６5の制御（使用する無線リソースの管理等）を行う機能を備えている。また、移動局７との間の通信をハンドオーバ元の無線基地局との間の通信からハンドオーバ先の無線基地局との間の通信に切り替えるハンドオーバ処理に係わる制御を行う機能も備えている。
【００６１】
尚、ＲＮＣ２、３の機能を無線基地局６、コアネットワーク１側に割り振ることで各ＲＮＣを省略することもできる。例えば、ハンドオーバ処理機能部をコアネットワーク１側に設け、無線チャネルの割当て制御機能等を無線基地局６に与えるのである。
【００６２】
さて、多重分離装置４、５は、ＲＮＣと無線基地局装置との間に設けられ、ＲＮＣ２、３から受信した各無線基地局宛ての信号を分離し、各無線基地局宛てに出力するとともに、各無線基地局からの信号を多重して対応するＲＮＣに引き渡す制御を行う。
【００６３】
もちろん、無線基地局制御装置と複数の無線基地局を直接接続することで、この多重分離装置も省略することができる。
【００６４】
無線基地局６1〜６3はＲＮＣ２、無線基地局６4、６5はＲＮＣ３により無線リソースを管理されつつ、移動局７との間の無線通信を行う。
【００６５】
移動局７は、無線基地局６の無線エリア（セル）内に在圏することで、無線基地局６との間で無線回線を確立し、コアネットワーク１を介して他の通信装置との間で通信を行うことができ、また、移動をした場合であっても、ハンドオーバ処理により通信相手の無線基地局を切り替えることで他の通信装置との間の通信を継続することができる。
【００６６】
ここで、基本的にハンドオーバは、移動局が、通信する相手の無線基地局を切り替えることを意味するが、１つの無線基地局が複数の無線エリア（セクタ）を複数のアンテナを用いて形成している場合には、セクタ間でもハンドオーバは起こり得る。また、異なるＲＮＣ配下の無線基地局間でハンドオーバが実行されることもある。
【００６７】
尚、ハンドオーバのタイミングは、ハンドオーバ元の無線基地局６側（例えばＲＮＣ２）から移動局７にタイミングを指定（例えば、ＣＦＮ１６から切り替えるように指定）することができる。
【００６８】
移動局７は、指定された切り替えタイミングで、各チャネルの切り替えを行うことでハンドオーバを実行するのである。
【００６９】
このとき、ＣＦＮは、ハンドオーバ前後で連続するように設定し、例えば、移動局７は、ＣＦＮ１５の無線フレームまでは、ハンドオーバ元の無線基地局と通信し、ＣＦＮ１６に変わる時点でハンドオーバ先の無線基地局と通信するように切り替えることが望ましい。
【００７０】
尚、ＣＦＮは、移動局毎に一致させる制御をしなければ、基本的には、ずれたナンバーが設定されており、ハンドオーバが複数の移動局について同時に発生したとしても、ハンドオーバ後に開始される最初のＣＦＮは移動局毎に異なり、ｋが同じであってもＣＱＩの送信タイミングはばらけることとなる。
【００７１】
以上が図４に示した第１実施形態における移動通信システムの動作の概要であるが、以下、各ノードの構成及び動作を詳細に説明する。
・「無線基地局制御装置２（３）」
図５は、無線基地局制御装置（ＲＮＣ：Radio Network Controller）を示す図である。
【００７２】
図において、１０は多重分離装置との通信用の第１インタフェース部、１１は各部の動作を制御する制御部、１２はコアネットワーク側との通信用の第２インタフェース部をそれぞれ示す。
【００７３】
好ましくは、第１、２インタフェース部として、ＡＴＭ方式に従った伝送を行うインタフェース部を採用することができる。もちろん、他の方式に従った伝送を行うこともできる。
【００７４】
制御部１１は、各部の動作の制御を行うとともに、先に説明したハンドオーバ処理に関する処理（転送処理、無線チャネル割当て等）を行うハンドオーバ処理機能部１３、３ＧＰＰ移動通信システムに規定されるＲＬＣ（ＲＬＣ：Radio Link Control）レイヤのような上位レイヤの処理機部１４も含む。
【００７５】
尚、ここでは、ハンドオーバによりチャネル切り替えのタイミング（アクティベーションタイム）は、ハンドオーバ処理機能部１３が移動局７に通知することとする。もちろん、無線基地局６の機能とすることもできる。
【００７６】
次に、コアネットワーク１１側からの信号を多重分離装置４（５）側へ送信する際の動作について説明する。
【００７７】
制御部１１は、コアネットワーク１側から受信した信号を、第２インタフェース部１２で終端処理して得られたデータ（例えば、可変長のパケットデータとする）を所定長毎に分割し、例えば、ＲＬＣ  ＰＤＵ（Packet Data Unit））を複数生成する。
【００７８】
尚、制御部１１は、各ＰＤＵに対して連番を付すべく、分割した各ＲＬＣ  ＰＤＵのシーケンスナンバ領域にその連番を書き込む。このシーケンスナンバは、移動局７で、ＰＤＵの順番抜けを発見するために用いられ、順番抜けが発生した場合は、ＲＬＣレイヤにおける再送制御を行うために、移動局から正しく受信できなかったＰＤＵシーケンスナンバが送信され、このシーケンスナンバを受信した制御部１１（上位レイヤ処理機能部１４）は、送信したＲＬＣ  ＰＤＵを移動局７へ向けて再送信する（送信したＲＬＣ  ＰＤＵはメモリ等に控えとして記憶しておく）。
【００７９】
さて、ＲＬＣ  ＰＤＵを生成した制御部２２は、ＲＬＣ  ＰＤＵを複数まとめて、ＨＳ−ＰＤＳＣＨ  ＦＰ（フレームプロトコル）に従ったフォーマットの信号を生成して、第１インタフェース部２０に与え、例えば、ＡＴＭセル化してから多重分離装置４（５）側へ送出する。
・「無線基地局６1〜６5」
図６は、無線基地局６（ＢＳ：Base Station）を示す図である。
【００８０】
図において、１５は多重分離装置４（５）から自装置宛ての信号として分離送信された信号の終端処理をする第１インタフェース部を示し、１６は移動局７との間で無線信号の送受信を行なうための無線送受信部を示す。
【００８１】
１７は、先に説明したＨ−ＡＲＱによる再送制御を行うために再送用の送信データを格納しておいたり、共用チャネルであるＨＳ−ＰＤＳＣＨで送信するデータであって、送信順番待ちのデータを格納しておくための記憶部を示す。
【００８２】
１８は各部の制御を行うとともに、下り信号生成部１９、上り信号処理部２０、再送管理部２１、適応変調管理部２２、タイミング制御部２３を含む制御部を示す。
【００８３】
ここで、下り信号生成部１９は、下り信号（ＣＰＩＣＨ、ＨＳ−ＳＣＣＨ、ＨＳ−ＰＤＳＣＨ等のデータ）として送信するデータを生成し、上り信号処理部２０は、上り信号（ＨＳ−ＤＰＣＣＨ）等からＣＱＩ情報、ＡＣＫ信号、ＮＡＣＫ信号等を抽出する。
【００８４】
また、再送管理部２１は、Ｈ−ＡＲＱに関連する再送制御を管理する機能を有するものである。
【００８５】
また、タイミング制御部２３は、各部のタイミング制御を行うユニットであり、例えば、各移動局から所定の条件で送信されたＣＱＩ情報を無線送受信部１６、上り信号処理部２０等を制御することで取得可能としたり、この受信ＣＱＩに基づいて所定のサブフレームで適応変調制御部２２により適応変調制御されたデータを送信するようにタイミング制御するのである。
【００８６】
次に、多重分離装置４（５）から受信したデータの処理動作について説明する。
【００８７】
まず、第１インタフェース部１５を介して受信したＨＳ−ＰＤＳＣＨのフレームが、制御部１８に入力される。
【００８８】
制御部１８は、受信したＨＳ−ＰＤＳＣＨのフレームに含まれるある移動局宛てのＭＡＣ−ｄ  ＰＤＵを記憶部１７に記憶させておく。
そして、共有チャネルであるＨＳ−ＰＤＳＣＨを介してその移動局宛てにデータの送信が可能となったことを検出すると、記憶部１７からその移動局宛てのＭＡＣ−ｄ  ＰＤＵを順に複数取り出し、ＭＡＣ−ｄ  ＰＤＵを複数含むＭＡＣ−ｈｓ  ＰＤＵを生成する。尚、取り出すＭＡＣ−ｄ  ＰＤＵの数は、ＣＱＩ情報等により定まるトランスポートブロックサイズ内に収まるように選択される。
【００８９】
ＭＡＣ−ｈｓ  ＰＤＵは、１つのトランスポートブロックを形成し、移動局７に向けて、ＨＳ−ＰＤＳＣＨを介して送信されるデータの元となる。
【００９０】
尚、ＭＡＣ−ｈｓ  ＰＤＵは、各ＭＡＣ−ｈｓ  ＰＤＵに付されるシーケンスナンバーであるＴＳＮ（Transmission Sequence Number）を含み、複数のプロセスに分けて移動局７宛てにＨＳ−ＰＤＳＣＨの送信を行っても、このシーケンスナンバーに従って、トランスポートブロックの並び替えが可能となるようにしている。
【００９１】
さて、制御部１８において生成されたＭＡＣ−ｈｓ  ＰＤＵは、Ｈ−ＡＲＱによる再送制御を実行するために、記憶部１７へ格納されるとともに、下り信号生成部１９に入力され誤り訂正符号化、誤り検出符号化等の処理が施されて、ＨＳ−ＰＤＳＣＨの１サブフレームを形成し、他の信号とともに無線送受信部１６に与えられることで、ＨＳ−ＰＤＳＣＨを介して移動局７宛てに送信される。
【００９２】
但し、先に説明したように、ＨＳ−ＰＤＳＣＨの送信の前には、ＨＳ−ＳＣＣＨを介して移動局７に向けた送信予告が行われる。
【００９３】
即ち、制御部１８はＨＳ−ＰＤＳＣＨの送信の前に、ＨＳ−ＳＣＣＨを介して送信するデータを下り信号生成部１９へ与え、下り信号生成部１９は、与えられたデータに基づいてＨＳ−ＳＣＣＨの１サブフレームを生成して無線送受信部１６へ与える。
【００９４】
ＨＳ−ＳＣＣＨにより送信の予告を受け、ＨＳ−ＰＤＳＣＨを受信した移動局７は、ＨＳ−ＤＰＣＣＨを介してＨＳ−ＰＤＳＣＨの受信結果（ＡＣＫ信号又はＮＡＣＫ信号）を送信する。
【００９５】
無線基地局６の上り信号処理部２０は、移動局７からの上り信号（ＨＳ−ＤＰＣＣＨ等）の受信処理を行い、受信結果がＮＡＣＫ信号であることを検出すると、再送管理部２１に通知する。
【００９６】
再送管理部２１は、記憶部１７から送信に失敗したＭＡＣ−ｈｓ  ＰＤＵを読み出し、再び、下り信号処理部１９に与えて、無線送受信部１６に再送信を実行させる。
【００９７】
一方、上り信号処理部２０により、ＨＳ−ＰＤＳＣＨの受信結果がＡＣＫ信号であることが検出された場合は、再送制御は不要であるから、制御部１８は、次の新規トランスポートブロックを送信すべく、記憶部１７に記憶している、未送信（送信順番待ち）のＭＡＣ−ｄ  ＰＤＵを読み出し、新たなＭＡＣ−ｈｓ  ＰＤＵを生成して下り信号生成部１９に与えることで、無線送受信部１６に送信させる制御を行う。
【００９８】
以上が無線基地局におけるＨ−ＡＲＱ（再送制御）に関する動作であるが、先に説明したように、ＨＳＤＰＡでは、無線基地局６において、適応変調制御を実行するため、移動局７からＣＱＩ情報を受信する。
【００９９】
この例でも、移動局７は、ＣＱＩ情報は、毎サブフレーム送信するのではなく、所定の条件を満たすサブフレームに制限して（間欠的に）送信する。
【０１００】
好ましくは、先に説明した式１を満たすサブフレームで移動局７はＣＱＩ情報を無線基地局６に送信し、無線基地局６はこのＣＱＩ情報を受信するのである。但し、この実施例では、式１を満たさない場合にＣＱＩ情報が移動局７から送信され、無線基地局６はそのＣＱＩを受信することもあるが、これについては後で説明する。
【０１０１】
ＣＱＩ情報は、上り信号処理部２０により受信されるため、上り信号処理部２０は、このＣＱＩ情報を適応変調管理部２２に与える。
【０１０２】
尚、無線基地局６におけるこのＣＱＩ情報に応じた適応変調制御については先に説明したものと同様に行うことができる。
・「移動局７」
次に、移動局の構成及び動作について説明する。
【０１０３】
図７に移動局７の構成を示す。図において、３０は無線基地局６の無線送受信部１６との間で無線通信を行うための無線送受信部を示し、３１は音声、データ等の入力及び受信音声、データの出力を行う入出力部を示す。
【０１０４】
３２は各種必要とされるデータを記憶する記憶部を示し、Ｈ−ＡＲＱを実現すべく、受信エラーとなったデータを一時的に格納するためにも用いられる。
【０１０５】
３３は各部の制御を行う制御部を示し、ＣＰＩＣＨ処理部３４、ＨＳ−ＳＣＣＨ処理部３５、ＨＳ−ＰＤＳＣＨ処理部３６、ＨＳ−ＤＰＣＣＨ処理部３７、上位レイヤ処理部３８、タイミング制御部３９を備える。
【０１０６】
ＣＰＩＣＨ処理部３４は、無線基地局６から連続的に送信されるＣＰＩＣＨの受信処理を測定区間等で行い、受信品質（受信ＳＩＲ）の測定結果をＨＳ−ＤＰＣＣＨ処理部３７に与える。また、ＣＰＩＣＨの受信処理により得られたパイロット信号のＩＱ平面上の位相情報をＨＳ−ＳＣＣＨ処理部３５、ＨＳ−ＰＤＳＣＨ処理部３６等に与えて同期検波（チャネル補償）を可能としている。
【０１０７】
また、移動局７は、ＨＳＤＰＡのサービスを受けている間は、ＨＳ−ＤＰＣＣＨを介して、適応変調制御のためのＣＱＩ情報を式１に従って無線基地局にフィードバック送信する。但し、ハンドオーバ後においては、式１に従わないＣＱＩ情報の送信も行う。
【０１０８】
ここで、送信するＣＱＩ情報は、例えば、ＣＱＩ送信の３スロット前から１スロット前までの期間で測定した結果に対応するＣＱＩ情報とする。
【０１０９】
尚、受信品質（受信ＳＩＲ）とＣＱＩ情報との対応関係（例えば図２のＣＱＩテーブル）は記憶部３２に記憶しておき、受信品質に対応するＣＱＩ情報を選択することで送信するＣＱＩ情報を決定することができる。
【０１１０】
ＨＳ−ＳＣＣＨ処理部３５は、無線基地局６から送信されるＨＳ−ＳＣＣＨの受信処理を毎サブフレームについて行い、自局宛てにＨＳ−ＰＤＳＣＨを介したデータの送信が行われることの送信予告がされているかどうかをチェックする。
【０１１１】
即ち、ＨＳ−ＳＣＣＨの第１パートを受信し、自局固有のコードを乗算してから復号した結果（例えば尤度情報）に基づいて自局宛てに送信されたかどうかを検出するのである。
【０１１２】
ここで、自局宛に送信されたことを検出すると、残りの第２パートの受信処理を完了させ、第１、第２パートの全体に対して付加された誤り検出ビットに基づいて受信エラー検出を行う。尚、ＨＳ−ＳＣＣＨ処理部３５がエラーを検出した場合は、予告の検出は誤りであったとして、以下のＨＳ−ＰＤＳＣＨ処理部３６における処理を中断することもできる。
【０１１３】
さて、自局宛ての送信予告があることを検出したＨＳ−ＳＣＣＨ処理部３５は、２スロット後のＨＳ−ＰＤＳＣＨの１サブフレームを受信するように、ＨＳ−ＰＤＳＣＨ処理部３６に通知する。
【０１１４】
その際、無線基地局６からＨＳ−ＳＣＣＨのパート１で通知されたコード情報、変調タイプ情報も通知する。
【０１１５】
これにより、ＨＳーＰＤＳＣＨ処理部３６は、ＨＳ−ＰＤＳＣＨの受信処理を開始することができ、残りの第２パートに含まれる他の受信処理に必要な情報を、その後ＨＳ−ＳＣＣＨ処理部３５から取得することで、ＨＳ−ＰＤＳＣＨの受信処理（デレートマッチング、誤り訂正復号等）を完了し、復号結果のエラー検出を行うのである。
【０１１６】
さて、ＨＳ−ＰＤＳＣＨ処理部３６は、ＨＳ−ＰＤＳＣＨについての復号結果にＣＲＣエラーの有無をＨＳ−ＤＰＣＣＨ処理部３７に通知する。また、復号して得られたＭＡＣ−ｈｓ  ＰＤＵに含まれるＴＳＮに基づいて並び替え処理（リオーダリング）を行い、上位レイヤ処理機能部３８へリオーダリング後のデータを引き渡す。
【０１１７】
上位レイヤ処理機能部３８は、ＭＡＣ−ｄ  ＰＤＵに含まれるシーケンスナンバに順番抜けがあるかどうか判定し、順番抜けを検出し、無線基地局制御装置２（３）に対して別途設けた個別チャネルを介して通知し、ＲＬＣレイヤにおける再送制御を実行するのである。
【０１１８】
尚、順番とおりに取得した受信データは順次入出力部３１から対応する出力形式で出力（音声出力、画像出力等）されることとなる。
【０１１９】
ＨＳ−ＤＰＣＣＨ処理部３７は、ＣＰＩＣＨ処理部３４から与えられた受信品質に対応するパラメータ（無線基地局６における適応変調制御に用いられるパラメータＣＱＩ）を記憶部３２に記憶した対応関係（ＣＱＩテーブル）に基づいて選択し、ＨＳ−ＤＰＣＣＨを介して無線基地局６に向けて送信する。また、ＨＳ−ＰＤＳＣＨ処理部３６からのエラー有無通知に応じて、ＨＳ−ＤＰＣＣＨ処理部３７は、ＨＳ−ＤＰＣＣＨを介して受信結果を応答信号（ＡＣＫ信号、ＮＡＣＫ信号）として送信する。
【０１２０】
即ち、ＨＳ−ＤＰＣＣＨ処理部３７は、エラー無しであればＡＣＫ信号を、エラー有り
であればＮＡＣＫ信号を無線送受信部３０に与えて送信させる。
【０１２１】
タイミング制御部３９は、各部のタイミング制御を行う機能を備え、例えば、通知されたハンドオーバのタイミングでチャネルを切り替えてハンドオーバを実行するように、各部の制御を行う。
【０１２２】
以上の構成により、移動局７においては、ＨＳ−ＳＣＣＨを毎サブフレームチェックし、自局宛てにＨＳ−ＰＤＳＣＨを介したデータの送信が行われることを通知されると、２スロット後のＨＳ−ＰＤＳＣＨの１サブフレームを受信し、復調、復号（ターボ復号）することで、復号結果を得、ＣＲＣビットを用いたＣＲＣ演算により受信可否を判定し、否であれば、受信データを記憶部３２に記憶させるとともに、ＮＡＣＫ信号をＨＳ−ＤＰＣＣＨを介して無線基地局６に送信する。
【０１２３】
そして、無線基地局６により再送信が実行されると、記憶部３２に記憶済みのデータと再送信されたデータとを合成してから、復号（ターボ復号）を行い、復号後のデータについて、再びＣＲＣチェックを行う。
【０１２４】
ＣＲＣチェックにより、可と判定されると、ＨＳ−ＤＰＣＣＨ処理部３７は、ＨＳ−ＤＰＣＣＨを介してＡＣＫ信号を無線基地局６に送信させる制御を行なう。
【０１２５】
そして、更に、復号して得られたＭＡＣ−ｈｓ  ＰＤＵに含まれるＴＳＮに基づいて並び替え処理（リオーダリング）を行い、並び替え後のトランスポートブロックに含まれるＭＡＣ−ｄ  ＰＤＵ（ＲＬＣ  ＰＤＵ）を上位レイヤ処理機能部３８に引き渡す。
【０１２６】
上位レイヤ処理機能部３８は、ＲＬＣ  ＰＤＵに含まれるシーケンスナンバを用いた並び替え（リオーダリング）を行い、順番抜けの検出及び、ポーリングビットのチェックを行なう。
【０１２７】
ここで、順番抜けを検出した場合、移動局１７のＲＬＣ処理機能部は、別途確立している個別物理チャネル（ＤＰＣＨ）を介して、ＲＬＣレイヤにおける再送制御のための正しく受信できなかったＰＤＵのシーケンスナンバを無線基地局制御装置２（３）に向けて送信する。
【０１２８】
移動局７の上位レイヤ処理機能部３８により送信制御されたＡＣＫ信号、正しく受信できなかったＰＤＵのシーケンスナンバは、無線基地局６、多重分離装置４（５）を介して無線基地局制御装置２（３）に送信される。
【０１２９】
無線基地局制御装置２（３）の制御部１１は、移動局７の上位レイヤ処理部３８から正しく受信できなかったシーケンスナンバの受信をすると、再送制御処理により、再送すべきデータ（ＨＳ−ＰＤＳＣＨフレーム）を不図示の記憶部から読み出して、再送信を行なう。
【０１３０】
以上が各装置の構成、動作の説明であるが、以下、ハンドオーバ前後におけるＣＱＩ情報の送信について詳細に説明する。
・「ハンドオーバ前のＣＱＩ送信」
先に説明したように、ハンドオーバ前においては、タイミング制御部３９は、式１に従って、所定の条件を満たすサブフレームでＣＱＩ情報を送信するように、ＨＳ−ＤＰＣＣＨ処理部３７を制御する。
【０１３１】
好ましくは、移動局７は、無線基地局６側等から通知されたＣＱＩ送信周期ｋと、呼確立により特定可能となったｍ０〜ｍ４を用いて、式１を満足する解を演算により求めるためのプログラムを予め記憶しておき、そのプログラムに従って、求めた解で定まるＣＦＮ、サブフレームでＣＱＩ情報を送信するように制御する（例えば、図３のような周期）。
・「ハンドオーバ後のＣＱＩ送信」
さて、無線基地局６側等からハンドオーバのタイミング（アクティベーションタイム）指示（例えば、ＣＦＮ１６からのチャネル切り替えの指示）を不図示の個別チャネル（ＤＬ−ＤＰＣＨ）を介して受信すると、タイミング制御部３９はこの指示に従って、ＤＬ−ＤＰＣＨ、ＵＬ−ＤＰＣＨ、ＨＳ−ＤＰＣＣＨ等のチャネル切り替えを行う。
【０１３２】
即ち、ＣＦＮ１６の開始タイミングからハンドオーバ元の無線基地局からハンドオーバ先の無線基地局との通信に切り替えるのである。尚、Ｄチップ前のＰ−ＣＰＩＣＨについても同じＣＦＮとしてチャネル切り替え行う、同様に、ＨＳ−ＳＣＣＨ、ＨＳ−ＰＤＳＣＨ等についてもチャネル切り替えを行う。
【０１３３】
しかし、ここで、ＣＱＩの送信タイミングについては、所定の条件（例えば式１）を満たさないタイミングで送信するようにタイミング制御部３９はＨＳ−ＤＰＣＣＨ処理部３７を制御する。
【０１３４】
例えば、送信周期ｋ及び式１に従った場合は、ＣＦＮ１５の第２サブフレームでＣＱＩを送信し、ＣＦＮ３１で次のＣＱＩの送信を行わなければならないとする。
【０１３５】
そして、ＣＦＮ１６からハンドオーバによるチャネル切り替えを行うように移動局７が指示されたとすると、式１の条件を満たしていないＣＦＮ１６においてＣＱＩ情報を送信するようにタイミング制御部３９は、ＨＳ−ＤＰＣＣＨ処理部３７を制御するのである。
【０１３６】
即ち、ハンドオーバ後に最初に条件を満たすＣＦＮよりも前のＣＦＮで送信するのである。
【０１３７】
これによりハンドオーバ前後を含めて考えると、送信周期が一時的にｋより短くなるが、ハンドオーバ先の無線基地局６がハンドオーバ後にＣＱＩ情報を取得できない時間が短縮され、適応変調制御をより早く開始することができることとなる。
【０１３８】
尚、この例では、チャネル切り替え後、最初のＣＦＮでＣＱＩ情報を送信するようにしたが、ＣＦＮ３１の第２サブフレームよりも前であれば、少なからず、適応変調制御の開示タイミングが早くなることは明らかである。
【０１３９】
ここで、送信するＣＱＩ情報は、ハンドオーバ先の無線基地局から受信したＣＰＩＣＨの受信品質に基づいて求めたものとすることが望ましく、ＣＱＩ情報の送信に先行してＣＰＩＣＨの測定を実行するように、タイミング制御部３９は、ＣＰＩＣＨ処理部３４を制御することが望ましい。
【０１４０】
また、このように式１の条件を満たさないタイミングでのＣＱＩ情報の送信は、ハンドオーバ後、１回だけ行うこととし、その後は、式１の条件を満たすようにすることが望ましい。これは、式１の条件を満たさないタイミングを基準として周期ｋでＣＱＩ情報を送信し続けることとすると、複数の移動局が一斉にハンドオーバを行った場合等に、ＣＱＩ情報が毎回ほぼ同じタイミングで送信されてしまい（各移動局でｋが等しいか、Ｎ倍（Ｎは自然数）の関係にあるとする）、無線基地局の処理負荷がそのタイミングで高まる可能性があるからである。
【０１４１】
尚、無線基地局６のタイミング制御部２３は、同様に、ハンドオーバによるチャネル切り替えのタイミングを認識しているため、例えば、ハンドオーバ後は、式１の条件にかかわらず、最初のＣＦＮ（２番目のＣＦＮ等でもよい）でもＣＱＩ情報を受信するように、上り信号処理部２０等を制御することで、イレギュラーに送信されたＣＱＩ情報を受信することができ、適応変調制御に利用することができる。
・「その他」
最後に、更に、ｋを利用した工夫について説明する。
【０１４２】
この例では、ｋの値によって、ハンドオーバ後に式１を満たさなくともＣＱＩ情報を送信するモード１と、式１を満たさなければＣＱＩ情報を送信しないモード２のいずれかとする。
【０１４３】
即ち、移動局７は、通知されたｋが所定の基準値（例えば、８０ｍｓ）を超えた場合は、ハンドオーバ後にモード１に一度移行してからモード２に移行する。
【０１４４】
一方、通知されたｋが所定の基準値（例えば、８０ｍｓ）を超えない場合は、ハンドオーバ後にモード２に移行する。
【０１４５】
もちろん、無線基地局６も同じ基準でモード判定を行って、ＣＱＩ情報を受信する。
【０１４６】
これによれば、適応変調制御の開始タイミングの遅延が発生する可能性が高い場合に制限して特別な制御ができ、特別な処理のための処理負荷が軽減される。
【０１４７】
また、別の例では、移動局７のタイミング制御部３９は、ハンドオーバ後に、式１に従った場合に、最初にＣＱＩ情報を送信するまでの時間が所定の基準時間（例えば８０ｍｓ）を超えるか否か判定する。
【０１４８】
もし、超える場合は、モード１に一度移行してからモード２に移行し、超えない場合は、モード２に移行するようにする。
【０１４９】
これにより、確実にＣＱＩ情報の送信が遅れる場合だけ、救済することができる。
【図面の簡単な説明】
【０１５０】
【図１】ＨＳＤＰＡにおけるチャネル構成を示す。
【図２】ＣＱＩテーブルを示す。
【図３】ＣＱＩの送信タイミングを示す。
【図４】本発明に係る無線通信システムを示す。
【図５】本発明に係る無線基地局制御装置を示す。
【図６】本発明に係る無線基地局を示す。
【図７】本発明に係る移動局を示す。
【図８】本発明に係るＣＱＩの送信タイミングを示す。
【符号の説明】
【０１５１】
１      コアネットワーク
２、３  ＲＮＣ
４、５  多重分離装置
６      無線基地局
７      移動局
１０    第１インタフェース部
１１    制御部
１２    第２インタフェース部
１３    ハンドオーバ処理機能部
１４    上位レイヤ処理機能部
１５    第１インタフェース部
１６    無線送受信部
１７    記憶部
１８    制御部
１９    下り信号生成部
２０    上り信号処理部
２１    再送管理部
２２    適応変調管理部
２３    タイミング制御部
３０    無線送受信部
３１    入出力部
３２    記憶部
３３    制御部
３４    ＣＰＩＣＨ処理部
３５    ＨＳ−ＳＣＣＨ処理部
３６    ＨＳ−ＰＤＳＣＨ処理部
３７    ＨＳ−ＤＰＣＣＨ処理部
３８    上位レイヤ処理機能部
３９    タイミング制御部
【図１】
2006246089.tif 000003
【図２】
2006246089.tif 000004
【図３】
2006246089.tif 000005
【図４】
2006246089.tif 000006
【図５】
2006246089.tif 000007
【図６】
2006246089.tif 000008
【図７】
2006246089.tif 000009
【図８】
2006246089.tif 000010